(57)【特許請求の範囲】
【請求項１】
進化型ユニバーサル地上無線アクセスネットワーク（Evolved  Universal  Terrestrial  Radio  Access  Network：EUTRAN）から受信された、前記EUTRANのセルがオフ状態時に発見信号を送信できる発見ゾーンの持続時間に関する情報を含む構成情報を処理する工程と、
前記発見ゾーン内の前記発見信号を搬送することのできる全ての直交周波数分割多重（ＯＦＤＭ）シンボルについて受信電力を測定して、受信信号強度インジケータ（ＲＳＳＩ）を決定する工程と、
をユーザーイクイップメントに実行させるプログラム。
【請求項２】
前記構成情報は更に発見信号測定タイミング構成（ＤＭＴＣ）の指示を含む、
請求項１に記載のプログラム。
【請求項３】
前記ＤＭＴＣは周期性及びオフセットを含む、
請求項２に記載のプログラム。
【請求項４】
前記発見ゾーンは１以上のサブフレームを含む、
請求項１乃至３のいずれか一項に記載のプログラム。
【請求項５】
全てのＯＦＤＭシンボルは、前記発見ゾーン内の１以上のサブフレームのダウンリンク部分の全てのＯＦＤＭシンボルを含む、
請求項１乃至３のいずれか一項に記載のプログラム。
【請求項６】
前記ＲＳＳＩに基づいて参照信号受信品質（ＲＳＲＱ）を生成する工程、
を更に前記ユーザーイクイップメントに実行させる、請求項１乃至３のいずれか一項に記載のプログラム。
【請求項７】
前記発見ゾーン内のセル固有参照信号を搬送するリソース要素の電力寄与の線形平均に基づいて、参照信号受信電力（ＲＳＲＰ）を決定する工程、
を更に前記ユーザーイクイップメントに実行させる、請求項６に記載のプログラム。
【請求項８】
前記ＲＳＲＱを（Ｎ×ＲＳＲＰ）／ＲＳＳＩに等しくなるように生成する工程であって、Ｎは前記発見ゾーンのリソースブロック数である、工程、
を更に前記ユーザーイクイップメントに実行させる、請求項７に記載のプログラム。
【請求項９】
前記ＲＳＲＱの指示を含むフィードバックメッセージを前記EUTRANに送信する工程、
を更に前記ユーザーイクイップメントに実行させる、請求項８に記載のプログラム。
【請求項１０】
進化型ユニバーサル地上無線アクセスネットワーク（Evolved  Universal  Terrestrial  Radio  Access  Network：EUTRAN）から構成情報を受信するように構成される通信回路であって、前記構成情報は、前記EUTRANのセルがオフ状態時に発見信号を送信できる発見ゾーンの持続時間の指示を含む、通信回路と、
前記通信回路と結合され、前記構成情報に基づいて前記発見ゾーンを決定するように構成される構成回路と、
前記構成回路と結合され、前記発見ゾーン内の前記発見信号を搬送することのできる全ての直交周波数分割多重（ＯＦＤＭ）シンボルについて受信信号強度を測定して、受信信号強度インジケータ（ＲＳＳＩ）を決定するように構成される測定回路と
を備えるユーザーイクイップメント。
【請求項１１】
前記測定回路と結合され、前記ＲＳＳＩに基づいてフィードバックメッセージを生成するように構成される報告回路、
を更に備える、請求項１０に記載のユーザーイクイップメント。
【請求項１２】
前記発見ゾーンは１以上のサブフレームを含む、
請求項１０又は１１に記載のユーザーイクイップメント。
【請求項１３】
前記通信回路は、無線リソース制御（ＲＲＣ）構成メッセージで構成情報を受信するように構成される、
請求項１０又は１１に記載のユーザーイクイップメント。
【請求項１４】
前記構成情報は更に、周期性及びオフセットを含む発見信号測定タイミング構成（ＤＭＴＣ）の指示を含み、
前記構成回路は、前記周期性、オフセット、持続時間及び受信される１次又は２次同期信号に更に基づいて、前記発見ゾーンを決定するように構成される、
請求項１０又は１１に記載のユーザーイクイップメント。
【請求項１５】
進化型ユニバーサル地上無線アクセスネットワーク（Evolved  Universal  Terrestrial  Radio  Access  Network：EUTRAN）のセルがオフ状態時に発見信号を送信できる発見ゾーンの持続時間の指示を含む構成情報を生成する工程と、
前記構成情報をユーザーイクイップメントに送信する工程と、
前記ユーザーイクイップメントから、前記セルの前記発見信号に対応する参照信号受信品質（ＲＳＲＱ）の指示を含むフィードバックメッセージを受信する工程と、
前記ＲＳＲＱに基づいて、前記ユーザーイクイップメントにサービスセルを提供するために、前記セルをウェイクアップするか否かを決定する工程と、
を拡張ノードＢ（ｅＮＢ）に実行させるプログラム。
【請求項１６】
前記構成情報は更に、周期性及びオフセットを含む発見信号測定タイミング構成（ＤＭＴＣ）の指示を含む、
請求項１５に記載のプログラム。
【請求項１７】
前記セルをウェイクアップすることを決定し、前記セルにウェイクアップメッセージを送信し、ハンドオーバー工程を実行して、前記ユーザーイクイップメントに対する少なくとも部分的なサービスを前記セルにハンドオーバーする工程、
を更に前記ｅＮＢに実行させる、請求項１５又は１６に記載のプログラム。
【請求項１８】
請求項１乃至９のいずれか一項に記載のプログラムを記憶した１以上の非一時的コンピューター可読媒体。
【請求項１９】
請求項１５乃至１７のいずれか一項に記載のプログラムを記憶した１以上の非一時的コンピューター可読媒体。
【発明の詳細な説明】
【技術分野】
【０００１】
関連出願の相互参照
本願は、２０１４年１２月１９日出願の米国本出願第１４／５７７，４１９号「セル発見信号の品質を測定する装置、システム及び方法」、２０１４年３月１４日出願の米国仮出願第６１／９５３，６４１号「スモールセル発見信号の測定品質の定義」、２０１４年３月１４日出願の米国仮出願第６１／９５３、６３９号「スモールセル発見信号」、及び２０１４年３月２０日出願の米国仮出願第６１／９６８，２７８号「スモールセル発見信号」の利益を主張する。上記出願の全体は、参照により本明細書に援用される。
【０００２】
本開示の実施形態は、一般に、セルラーネットワークの分野に関し、より具体的には、セル発見信号の品質を測定するための技術及び該技術を採用する装置に関する。
【背景技術】
【０００３】
セルラーネットワークが輻輳するほど、ネットワークオペレータは、予測される要求を満たすために桁違いに小さいセルを展開し続ける。このような小さいセルの存在により、マクロセルからのトラフィックをオフロードすることができるが、不要な干渉を引き起こすおそれがある。いくつかの状況では、セルが小さいほど活発にユーザーにサービスを提供できないが、少なくともダウンリンク共通チャネルを送信し続けることができる。このような継続的な送信は、アクセスノードの密度が高い場合には特に、望ましくない干渉を引き起こすおそれがある。加えて、このような継続的な送信により、不必要なエネルギーを消費するおそれがある。したがって、干渉を制限し電力を節約するために、アクセスノードがユーザーにサービス提供をしていないときに休止状態に入るようにすることが、有益であることがある。
【０００４】
アクセスノードを休止状態にすることにより、干渉を防止し消費電力を節約することができるが、休止状態のアクセスノードの発見と再活性化について新たな課題が生じる。
【図面の簡単な説明】
【０００５】
実施形態は、添付の図面と併せて以下の詳細な説明により理解されるであろう。説明を容易にするために、同じ参照番号は同じ構造要素を指す。実施形態は例として示されるものであり、添付図面の図において制限されるものではない。
【図１】いくつかの実施形態に係る、マクロセル及び複数のスモールセルを含むネットワークの概略図である。
【図２】いくつかの実施形態に係る、アクセスノードの発見及びウェイクアップの工程の概略図である。
【図３】いくつかの実施形態に係る周期的発見ゾーンの概略図である。
【図４】いくつかの実施形態に係る、ユーザーイクイップメントがセル発見信号の品質を測定する工程の概略図である。
【図５】いくつかの実施形態に係る、ｅＮＢがスモールセル発見不活性化を管理する工程の概略図である。
【図６】いくつかの実施形態に係るシステムの概略図である。
【発明を実施するための形態】
【０００６】
本開示の実施形態は、休止状態のアクセスノードを発見し起動する方法及び装置を説明する。このような実施形態は、電力を節約し干渉を制限するためにアクセスノードを休止状態に移行させながら、アクセスノードの効率的な発見及び利用を提供するように設計される。
【０００７】
以下の説明では、実施例の様々な態様は、当業者にその仕事の本質を伝えるために、当業者によって一般に使用される用語を用いて説明される。しかしながら、本開示の実施形態が説明される態様の一部のみを用いて実施されてもよいことは、当業者には明らかであろう。説明上、実施例の完全な理解を提供するために、具体的な数、材料及び構成が記載される。しかしながら、本開示の実施形態は、係る具体的な詳細なしに実施できることが当業者には明らかであろう。他の例では、実施例を不明瞭にしないために、周知の特徴は省略されるか単純化される。
【０００８】
以下の詳細な説明では、本明細書の一部を形成する添付の図面が参照される。添付の図面では、同じ数字は全体を通して同じ要素を指定し、また、本開示の主題を実施することができる実施形態が例として示される。本開示の範囲から逸脱することなく、他の実施形態を利用することができ、構造的又は論理的な変更がされ得ることが理解されるべきである。したがって、以下の詳細な説明は限定的な意味で解釈されるべきではなく、実施形態の範囲は、添付の特許請求の範囲及びその均等物によって定義される。
【０００９】
実施形態では、「一実施形態では」、「実施形態では」又は「いくつかの実施形態では」というフレーズを使用することがあるが、それぞれが同じ又は異なる実施形態の１以上を指すことができる。更に、本開示の実施形態に関連して使用される場合、「備える」、「含む」、「有する」等の用語は同義である。
【００１０】
本開示の目的上、「又は」という語句は、用語に結合された成分の少なくとも１つを意味する包括的な用語として用いられる。例えば、語句「Ａ又はＢ」は、（Ａ）、（Ｂ）又は（Ａ及びＢ）を意味する。語句「Ａ、Ｂ又はＣ」は、（Ａ）、（Ｂ）、（Ｃ）、（Ａ及びＢ）、（Ａ及びＣ）、（Ｂ及びＣ）又は（Ａ、Ｂ及びＣ）を意味する。
【００１１】
本明細書で使用される場合、「回路」という用語は、特定用途向け集積回路（ＡＳＩＣ）、システム・オン・チップ（ＳｏＣ）、電子回路、論理回路、プロセッサ（共有、専用又はグループ）、メモリ（共有、専用又はグループ）等の、記載の機能を提供するように構成されるハードウェア構成要素を指し、又はそのようなハードウェア構成要素の一部であり、又はそのようなハードウェア構成要素を含む。いくつかの実施形態では、回路は、記載の機能の少なくとも一部を提供するために、１以上のソフトウェア又はファームウェアプログラムを実行することができる。
【００１２】
更に、様々な工程は、例示的な実施形態の理解に最も有用な順序で、複数の別個の工程として説明される。しかしながら、説明の順序は、これらの工程が必ずしも順序に依存することを意味するものと解釈されるべきではない。特に、そのような工程は提示の順序で実行される必要はない。
【００１３】
図１は、一実施形態に係る例示的な無線通信ネットワーク１００を示す。無線通信ネットワーク１００（以下「ネットワーク１００」）は、発展型ユニバーサル地上無線アクセスネットワーク（“ＥＵＴＲＡＮ”）等、第３世代パートナーシッププロジェクト（“３ＧＰＰ”）ロングタームエボリューション（“ＬＴＥ”）ネットワークのアクセスネットワークであってよい。ネットワーク１００は、進化型ノードＢ（“ｅＮＢ”）１０５等の、他の要素のうち、無線マクロセル１１０を提供する比較的高電力の基地局を特徴付ける。
【００１４】
ユーザーイクイップメント（“ＵＥ”）１５０にサービスを提供し、そうでなければネットワーク１００内の無線通信を運営又は管理するために、ｅＮＢ１０５は制御回路１０６及び通信回路１０７を備えてよい。制御回路１０６はネットワーク１００において様々なタスクを実行し、例えば、限定ではないが、ＵＥ１５０にサービスを提供する無線セルを提供したり、無線リソース管理（“ＲＲＭ”）測定、信号品質の報告を行うためのネットワーク・ノードを構成したり、ネットワーク１００内のスモールセルの動作を管理する。通信回路１０７は、発見、制御及び通信の工程に関連するメッセージを送信又は受信してよい。
【００１５】
ネットワーク１００では、ＵＥ１５０は、該ＵＥが無線マクロセル１１０内にあるとき、ｅＮＢ１０５に接続される。ＵＥ１５０は、例えば３ＧＰＰ仕様に従ってｅＮＢ１０５と接続するように適合された任意のデバイスであってよく、例えば、ハンドヘルド電話、ラップトップコンピューターその他の、モバイル・ブロードバンド・アダプターを備えた同様のデバイスであってよい。いくつかの実施形態によれば、ＵＥ１５０は、移動性管理、呼出制御、セッション管理、セル発見、アイデンティティ管理等の、ネットワーク１００における１以上のタスクを管理することができる。
【００１６】
データを処理し、ｅＮＢ１０５又はノード１１５と通信し、又は別の方法でネットワーク１００において機能するために、ＵＥ１５０は、限定ではないが、通信回路１５５、測定回路１６０、報告回路１６５及び構成回路１７０を備えてよい。通信回路１５５は、ネットワーク１００の他のノード（例えばｅＮＢ１０５及びアクセスノード１１５）とのメッセージの送受信等の、ＵＥ１５０に関する複数のタスクを実行してよい。通信回路１５５は、例えば、構成メッセージや物理信号（限定ではないが、１次同期信号（ＰＳＳ）、２次同期信号（ＳＳＳ）、セル固有参照信号（ＣＲＳ）、位置決め参照信号（ＰＲＳ）、チャネル状態情報基準信号（ＣＳＩ−ＲＳ）等）を受信してよい。通信回路１５５は更に、例えば、フィードバックメッセージをｅＮＢ１０５又はアクセスノード１１５に送信してよい。測定回路１６０は、ＲＲＭ測定を実行してよい。このような測定は、アクセスノード１１５から受信された物理信号に少なくとも部分的に基づいてよい。報告回路１６５は、ＲＲＭ測定に基づいて、信号品質メトリクスを提供するフィードバックメッセージを生成してよい。信号品質メトリクスは、いくつかの実施形態では、ｅＮＢ１０５がネットワーク１００内のスモールセル動作を管理する際に用いられてよい。
【００１７】
ネットワーク１００に含まれる複数の低電力無線アクセスノード１１５は、複数のスモールセル１２０を提供するように構成される。本実施形態によれば、複数のスモールセル１２０は、フェムトセル、ピコセル、マイクロセル、又は、２キロメートル（“ｋｍ”）程度の範囲を有する本質的に同様の任意のセルであってよい。いくつかの構成では、スモールセル１２０は、約５００メートル未満の範囲を有してよい。この構成では、ＵＥ１５０は、マクロ層及びローカルノード層のカバレッジの両方を提供することができる。そのようなカバレッジの利点により、帯域幅又はネットワークの信頼性（例えば、マクロセル１１０の端部近傍における）は、データオフロード、キャリアアグリゲーションその他の類似の技術を介して、ＵＥ１５０のために増大され得る。例示の実施形態では、マクロセル１１０の範囲は、複数のスモールセル１２０の各々に到達するには不十分である可能性がある。したがって、複数のスモールセル１２０の全てがマクロ層カバレッジを有し得る。
【００１８】
各アクセスノード１１５は、ｅＮＢ１０５について相補的な回路を備えてよい。例えば、各スモールセルは、上述の機能を実行するために通信回路及び制御回路を備えてよい。スモールセル１２０を提供するアクセスノード１１５は、ＵＥにサービスを提供していないとき、休眠状態に移行されてよい。休止状態時、アクセスノードはサービスセルを提供しない。いくつかの実施形態では、休止状態のアクセスノードは、１次同期信号（ＰＳＳ）、２次同期信号（ＳＳＳ）又は、共通参照信号（ＣＲＳ）を送信しなくてよい。後述するように、休止状態のアクセスノードは、発見工程及びウェイクアップ工程に参加するために、部分的又は周期的に休止状態を解除して、発見メッセージを送受信してよい。いくつかの実施形態では、休止状態のアクセスノードは、Ｄ２Ｄプロトコルに関連する発見メッセージを送受信することが可能であってよい。
【００１９】
スモールセルを提供する休止状態アクセスノードを背景として論じているが、本明細書で論じられる工程は、マクロセルを提供するアクセスノード（ｅＮＢ等）の発見及ウェイクアップに用いられてもよい。一般に、該工程は、サービスセルのサイズに関係なく、任意の休止状態のアクセスノードの発見及びウェイクアップを容易にするために用いることができる。
【００２０】
発見信号を適切に定義することにより、スモールセルのオン／オフ動作を容易にすることができ、そして、高密度のスモールセル展開のシナリオ下においてセル間干渉を低減し、ユーザスループットの改善をもたらすことができる。例えば、ＵＥ１５０が発見信号を検出し測定をｅＮＢ１０５に報告し、それによりネットワークが正常にＵＥ１０５についてスモールセルのオン／オフ動作を管理できるように、アクセスノード１１５は、オフ状態において発見信号を送信してよい。本明細書で使用される場合、アクセスノードのオフ状態は、アクセスノードがＵＥのサービスのためのセルを提供しないことを示すことができる。よって、発見メッセージを送受信するために部分的にアウェイクのアクセスノードは、まだオフ状態であるとみなすことができる。逆に、オン状態のアクセスノードは、１以上のＵＥのサービスセルを提供することを示すことができる。
【００２１】
オフ状態のアクセスノードによって送信される発見信号は、ＰＳＳ、ＳＳＳ、ＣＲＳ、ＰＲＳ及びＣＳＩ−ＲＳの異なる組合わせを含んでよい。例えばいくつかの実施形態では、発見信号は、ＰＳＳ＋ＳＳＳ＋ＣＲＳ、ＰＳＳ＋ＣＳＩ−ＲＳ、ＰＳＳ＋ＳＳＳ＋ＣＲＳ＋ＣＳＩ−ＲＳ、ＰＳＳ＋ＳＳＳ＋ＣＳＩ−ＲＳ、ＰＳＳ＋ＰＲＳ、又はＰＳＳ＋ＳＳＳ＋ＰＲＳを含んでよい。
【００２２】
スモールセルのオン／オフ動作の管理をサポートする発見信号の測定は、例えば、発見信号参照信号受信電力（ＤＳ−ＲＳＲＰ）及び発見信号参照信号受信品質（ＤＳ−ＲＳＲＱ）を含んでよい。ＤＳ−ＲＳＲＰ及びＤＳ−ＲＳＲＱ（又は発見信号受信信号強度インジケータ（ＤＳ−ＲＳＳＩ））の原理は既存のＣＲＳベースのＲＳＲＰ及びＲＳＲＱ（又はＲＳＳＩ）測定に類似し得るが、発見信号はＣＲＳとは異なる構造を有し、したがって、対応する測定を更に定義する必要があり得る。よって、本開示の実施形態は、新たに定義される発見信号を考慮して、ＤＳ−ＲＳＲＱ及びＤＳ−ＲＳＳＩの利用を説明する。
【００２３】
図２は、いくつかの実施形態に係る、アクセスノードの発見及びウェイクアップ工程２００を示す。
【００２４】
工程２００では、構成工程において、ｅＮＢ１０５は、１以上の構成メッセージをＵＥ１５０に送信してよい。構成工程は上位レイヤ工程であってよく、例えば、ＥＵＴＲＡＮプロトコルスタックを参照するレイヤ３の工程であってよい。構成工程は、１以上のＲＲＣ構成メッセージを含む無線リソース制御（ＲＲＣ）構成工程であってよい。ＲＲＣ構成メッセージは、ネットワーク１００内の発見信号の測定に関連する情報を含むＤＳ測定構成情報要素、MeasDS-Config  IEを含んでよい。特に関連することとして、ＤＳ測定構成ＩＥは、発見信号測定タイミング構成（ＤＭＴＣ）と、アクセスノード１１５によって発見信号が送信され得る発見ゾーンの持続時間の指示とを含んでよい。
【００２５】
いくつかの実施形態では、第三世代パートナーシッププロジェクト（３ＧＰＰ）リリース１２（ｒｌ２）では、MeasDS-Config  IEは、以下のような抽象構文記法１（ＡＳＮ１）フォーマットを有することができる。
【００２６】
【表１】
0006363230.tif 000002
MeasDS-Config  IEのcsi-RS-IndividualOffsetフィールドは、特定のＣＳＩ−ＲＳリソースに適用可能なＣＳＩ−ＲＳ個別オフセットを示すことができる。値は、例えば−２４ｄＢ、−２２ｄＢ等であってよい。
【００２７】
MeasDS-Config  IEのds-OccasionDurationフィールドは、所定のキャリア周波数の発見ゾーン（「発見信号オケージョン」と称されることもある）の持続時間を示すことができる。キャリア周波数は、測定対象ＥＵＴＲＡ、ＭｅａｓＯｂｊｅｃｔＥＵＴＲＡ、ＩＥにおけるcarrierFreqフィールドによって示すことができる。発見ゾーンの持続時間は、キャリア周波数で発見信号を送信する全てのセルについて共通であってよい。持続時間は、複数の時間単位して与えられてよい。持続時間は、複数のサブフレーム、直交周波数分割多重（ＯＦＤＭ）シンボル等として与えられてよい。
【００２８】
MeasDS-Config  IEのmeasCSI-RS-ToAddModListフィールドは、発見信号測定のためのＣＳＩ−ＲＳリソースリストに追加又は変更するためのＣＳＩ−ＲＳリソースのリストを提供することができる。
【００２９】
MeasDS-Config  IEのmeasCSI-RS-ToRemoveListフィールドは、発見信号測定のためのＣＳＩ−ＲＳリソースリストから排除するＣＳＩ−ＲＳリソースのリストを提供することができる。
【００３０】
MeasDS-Config  IEのdmtc-PeriodOffsetフィールドはＤＭＴＣを示すことができ、キャリア周波数の周期性（dmtc-Period）及びオフセット（dmtc-Offset）を含む。ＤＭＴＣ周期性の例として、限定ではないが、４０ｍｓ、８０ｍｓ等が挙げられる。ＤＭＴＣオフセットの値はサブフレームの数であってよい。キャリア周波数内の全てのセルに１つのＤＭＴＣが適用されてよい。いくつかの実施形態では、全てのキャリア周波数についてＤＭＴＣが共通であってもよい。
【００３１】
発見ゾーンのＤＭＴＣと持続時間は全てのセルに共通であってよい一方、実際の発見ゾーンは異なってよい。これは、ＤＭＴＣ及び持続時間と併せて、実際の発見ゾーンがＰＳＳ、ＳＳＳ又はＣＲＳ基づくことによるかもしれず、これはセルによって異なることがある。以下で更に詳細に説明する。
【００３２】
MeasDS-Config  IEのphysCellIdフィールドは物理セル識別情報を示すことができる。ＵＥは、ＣＳＩ−ＲＳと、示される物理セル識別情報に対応するＰＳＳ／ＳＳＳ／ＣＲＳとが平均遅延及びドップラーシフトについて準同一位置であると仮定することができる。
【００３３】
MeasDS-Config  IEのresourceConfigフィールドはＣＳＩ参照信号の構成パラメータであってよい。例えば、３ＧＰＰ技術仕様書（ＴＳ）３６．２１１ｖｌ２．０．０（２０１３−１２−２０）の表６．１０．５．２−１及び６．１０．５．２−２を参照。
【００３４】
MeasDS-Config  IEのscramblingldentityフィールドは、擬似ランダムシーケンス発生器のパラメータｎＩＤであってよい。例えば、３ＧＰＰ  ＴＳ３６．２１３ｖｌ２．０．０（２０１３−１２−２０）のセクション７．２．５を参照。
【００３５】
MeasDS-Config  IEのsubframeOffsetフィールドは、発見ゾーンのＳＳＳとＣＳＩ−ＲＳリソースとの間のサブフレームオフセットを示すことができる。
【００３６】
工程２００は更に、２０４においてアクセスノード115_1がウェイクアップする工程を含んでよい。アクセスノード115_1のウェイクアップは、発見メッセージを受信し又は発見信号を送信するために少なくとも途中までを起動することを含んでよい。アクセスノード115_1は、所定の期間に所定の回数（例えば周期的に）ウェイクアップしてよい。
【００３７】
いくつかの実施形態では、ｅＮＢ１０５又はＵＥ１５０は、所定のウェイクアップ期間中に発見メッセージをアクセスノード115_1に送信してよい。発見メッセージは、いくつかの実施形態では、ユーザーイクイップメント（例えばＵＥ１５０）にサービス提供するスモールセルを提供するために、アクセスノード115_1に完全にウェイクアップすることを求める要求を含んでよい。
【００３８】
工程２００は更に、２０６において、アクセスノード115_1による発見信号の送信を含んでよい。上述のように、発見信号は、発見ゾーンにおいて送信されるＰＳＳ、ＳＳＳ、ＣＲＳ、ＰＲＳ又はＣＳＩ−ＲＳの様々な組合わせであってよい。発見信号の送信後、アクセスノード115_1が完全にウェイクアップすることを示す発見メッセージをアクセスノード115_1が受信していないと仮定すると、アクセスノード115_1は２０８においてスリープ状態に移行してよい。
【００３９】
図３は、本発明のいくつかの実施形態に係る周期的発見ゾーン３００を示す。発見ゾーン３００は、第１の発見ゾーン300_1及び第２の発見ゾーン300_2を含んでよい。発見ゾーン３００の各々は１以上の単位を有してよい。一般に、発見ゾーンはＸの単位を含むことができ、ＸはDS-OccasionDurationフィールドで通信される。発見ゾーンは所定の周期性で繰り返されてよい。
【００４０】
いくつかの実施形態では、発見ゾーンは例えば６個のＯＦＤＭシンボルを含んでよく、周期性はおよそ１００ｍｓであってよい。他の実施形態は他の値又は単位を含んでよい。
【００４１】
工程２００は更に、２１２において、ＵＥ１５０が無線リソースを測定して発見信号品質メトリクスを決定することを含んでよい。発見信号品質メトリクスは例えばＤＳ−ＲＳＲＰ、ＤＳ−ＲＳＲＱ、又はＤＳ−ＲＳＳＩを含んでよい。本明細書で使用される場合、ＤＳ−ＲＳＲＰ、ＤＳ−ＲＳＲＱ、ＤＳ−ＲＳＳＩはそれぞれ、本明細書に記載されるような発見手続きに用いられる発見信号その他に基づくＲＳＲＰ、ＲＳＲＱ、ＲＳＳＩのメトリクスであってよい。したがって、本明細書の目的上、ＤＳ−ＲＳＲＰはＲＳＲＰと交換可能であってよく、ＤＳ−ＲＳＲＱはＲＳＲＱと交換可能であってよく、ＤＳ−ＲＳＳＩはＲＳＳＩと交換可能であってよい。
【００４２】
一般に、ＤＳ−ＲＳＲＰは、測定周波数帯域（例えば発見ゾーン）内のＣＲＳを搬送するリソース要素（ワット）の電力寄与の線形平均として定義することができる。発見ゾーン外の単位（例えばサブフレーム）中にＣＲＳが存在することをＵＥ１５０が確実に検出できる場合、ＵＥ１５０は、ＤＳ−ＲＳＲＰを決定するために、発見ゾーン内のＣＲＳを有する単位に加えて、これらの単位を使用することができる。
【００４３】
いくつかの実施形態では、ＤＳ−ＲＳＳＩは、発見ゾーンの全ての単位における総受信電力（ワット）の線形平均を測定することによって決定することができる。例えば、ＤＳ−ＲＳＳＩは、発見ゾーン内の全てのＯＦＤＭシンボルにわたって測定することができる。いくつかの実施形態では、これは、リソース要素の一部が発見信号を搬送することができない場合があっても、発見ゾーン内のＯＦＤＭシンボルの全てのリソース要素を測定することを含んでよい。
【００４４】
いくつかの実施形態では、ＤＳ−ＲＳＳＩは、発見信号で伝送することができる全ての潜在的なリソース要素について測定することができる。例えば、発見信号がＣＳＩ−ＲＳを含み、ＣＳＩ−ＲＳがＤＳ−ＲＳＲＰ及びＤＳ−ＲＳＲＱを測定するために使用される場合、ＣＳＩ−ＲＳのために構成することができるリソース要素についてのみ、ＤＳ−ＲＳＳＩを測定することができる。
【００４５】
いくつかの実施形態では、ＤＳ−ＲＳＲＰ及びＤＳ−ＲＳＳＩの参照点は、ＵＥ１５０のアンテナコネクタであってよい。
【００４６】
ＤＳ−ＲＳＲＰ及びＤＳ−ＲＳＳＩを決定すると、ＵＥ１５０はＤＳ−ＲＳＲＱの決定に進んでよい。いくつかの実施形態では、ＤＳ−ＲＳＲＱは、（ＮｘＤＳ−ＲＳＲＰ）／ＤＳ−ＲＳＳＩと定義することができる。Ｎは発見ゾーンのリソースブロック数である。いくつかの実施形態では、ＤＳ−ＲＳＲＰ及びＤＳ−ＲＳＳＩの測定は、リソースブロックの同じセットについてなされてよい。
【００４７】
工程２００は、２１６において、ＵＥ１５０がフィードバックメッセージを生成しｅＮＢ１０５に送信することを含んでよい。フィードバックメッセージは、ＤＳ品質メトリクスの１以上の指示を含んでよい。例えば、フィードバックメッセージはＤＳ−ＲＳＲＱの指示を含んでよい。
【００４８】
工程２００は、２１８において、ｅＮＢ１０５が、サービスセルを提供するためにアクセスノードをウェイクアップするか否かを決定することを含んでよい。ｅＮＢ１０５は、２１６でフィードバックメッセージにおいて受信されたＤＳ品質メトリクスに基づいて、決定を行ってよい。
【００４９】
スモールセルをウェイクアップするとｅＮＢ１０５が決定した場合、ｅＮＢ１０５は、標的スモールセルのアクセスノードが発見信号の伝送のためにウェイクアップする（例えば、アクセスノード115_1が２２０でウェイクアップする）まで待機し、２２２で発見メッセージをアクセスノードに送信してよい。
【００５０】
アクセスノード115_1は、ウェイクアップのコマンドを伴う発見メッセージを受信し、２２４で、完全ウェイクアップ手続きの実行に進んでよい。完全にウェイクアップすると、アクセスノード115_1はサービスセルの提供を促進するために、参照信号の送信を開始してよい。例えば、アクセスノード115_1は、限定ではないがＰＳＳ、ＳＳＳ、ＣＲＳ、ＣＳＩ−ＲＳ等の参照信号を送信してよい。
【００５１】
ｅＮＢ１０５、アクセスノード115_1及びＵＥ１５０は、２２６でハンドオーバー手続きを行ってよい。いくつかの実施形態では、２２６でのハンドオーバー手続きは、完全ハンドオーバー又は部分的ハンドオーバーであってよい。完全ハンドオーバーは、ＵＥ１５０がアクセスノード115_1に接続し、且つｅＮＢ１０５との接続を切ることを含んでよい。一方、部分的ハンドオーバーは、ＵＥ１５０がアクセスノード115_1に接続し、且つｅＮＢ１０５と接続したままであることを含んでよい。例えば、ＵＥ１５０は、アクセスノード115_1を利用して、ｅＮＢ１０５を伴う１次セル（Ｐ−Ｃｅｌｌ）を保持しながら２次セル（Ｓ−Ｃｅｌｌ）を提供してよい。
【００５２】
図４は、本開示のいくつかの実施形態に係る、ＵＥがセル発見信号の品質を測定し得る工程４００を示す。工程４００は、ＵＥ１５０等のＵＥによって実行されてよい。いくつかの実施形態では、ＵＥ１５０は、実行されたときにＵＥ１５０に工程４００の一部又は全部を実行させる命令を有する１以上の非一時的コンピューター可読媒体を有してよい。いくつかの実施形態では、命令は、通信回路１５５、測定回路１６０、報告回路１６５又は構成回路１７０を、工程４００の一部又は全部を実行するように適合させることができる。
【００５３】
工程４００は、４０２において、例えば構成回路１７０により構成情報を処理することを含んでよい。構成情報は、通信回路１５５によって受信され、構成回路１７０に伝送されてよい。いくつかの実施形態では、構成情報は、限定ではないがＲＲＣシグナリング等の、上位レイヤのシグナリングで受信されてよい。例えば、構成情報は、上記のようなＲＲＣ構成メッセージのmeasDS-Config  IEで送信することができる。構成回路１７０は、ＵＥ１５０を構成するための構成情報を用いて、ネットワーク１００に送信された発見信号を測定してよい。
【００５４】
工程４００は更に、４０４において、例えば構成回路１７０又は測定回路１６０によって発見ゾーンを決定することを含んでよい。発見ゾーンの決定は構成情報に基づいてよい。特に、ＵＥ１５０は、ＤＭＴＣ周期性及びオフセットと、構成情報からの発見ゾーンの持続時間とを用いて、発見ゾーンを決定してよい。ＵＥ１５０は既に、ＳＳＳが発見ゾーン内の第１のサブフレーム内に配置され得ることを知っている場合があり、更に、周波数分割二重化ではＰＳＳが発見ゾーン内の第１のサブフレームに配置され、時分割二重化ではＰＳＳが発見ゾーンの第２のサブフレームに配置されることを、知っている場合がある。ＵＥ１５０は、セルサーチ動作手続きに基づいてＰＳＳ／ＳＳＳを発見しようと試みることができ、また、ＤＭＴＣ周期性及びオフセットと発見ゾーンの持続時間とに関連して、ＰＳＳ／ＳＳＳからの情報を使用して、発見ゾーンの正確な位置を決定することができる。
【００５５】
工程４００は更に、４０６において、例えば測定回路１６０によりＲＲＭ測定を実行することを含んでよい。上述のように、いくつかの実施形態では、測定回路１６０は、決定された発見ゾーンに基づいて、ＤＳ−ＲＳＲＰ及びＤＳ−ＲＳＳＩの測定を実行してよい。
【００５６】
工程４００は更に、４０８において、例えば報告回路１６５により、フィードバックメッセージを生成することを含んでよい。いくつかの実施形態では、フィードバックメッセージは、測定されたＤＳ−ＲＳＲＰ及びＤＳ−ＲＳＳＩに基づいて決定されるＤＳ−ＲＳＲＱを用いて生成されてよい。
【００５７】
工程４００は更に、４１０において、例えば通信回路１５５により、生成されたフィードバックメッセージを送信することを含んでよい。
【００５８】
図５は、本開示のいくつかの実施形態に係る、ｅＮＢがスモールセルの発見及び活性化を管理し得る工程５００を示す。工程５００は、ｅＮＢ１０５等のｅＮＢによって実行されてよい。いくつかの実施形態では、ｅＮＢ１０５は、実行されたときにｅＮＢ１０５に工程５００の一部又は全部を実行させる命令を有する１以上の非一時的コンピューター可読媒体を有してよい。いくつかの実施形態では、命令は、制御回路１０６及び通信回路１０７を、工程５００の一部又は全部を実行するように適合させることができる。
【００５９】
工程５００は、５０２において、例えば制御回路１０６により、構成メッセージを生成することを含んでよい。いくつかの実施形態では、構成メッセージの生成は、上述のように、measDS-Config  IEの構成情報を含むＲＲＣ構成メッセージ等の、上位レイヤのシグナリングメッセージを生成することを含んでよい。
【００６０】
工程５００は更に、５０４において、例えば通信回路１０７により、構成メッセージを送信することを含んでよい。いくつかの実施形態では、構成メッセージは、ＵＥが最初にｅＮＢ１０５と接続したときに、生成され送信されてよい。構成情報は、追加的又は代替的に、１以上の更新メッセージ（例えばＲＲＣ再構成メッセージ）で送信することができる。
【００６１】
工程５００は更に、５０６において、例えば通信回路１０７により、フィードバックメッセージを受信することを含んでよい。通信回路１０７は、フィードバックメッセージからの情報を制御回路１０６に伝送してよい。上述のように、フィードバックメッセージからの情報は、ネットワーク１００のセルの発見信号に対応するＤＳ−ＲＳＲＱを含んでよい。
【００６２】
５０８において、工程５００は、制御回路１０６が、そのＤＳ−ＲＳＲＱがフィードバックメッセージで伝送されたスモールセルをウェイクアップするか否かを決定することを含んでよい。制御回路１０６は、スモールセルがＵＥ１５０のために十分なカバレッジを提供することが可能であるか否かを決定するために、フィードバックメッセージにおいて受信された信号メトリクスを様々な閾値と比較してよい。スモールセルが十分なカバレッジを提供することが可能であると判定された場合、制御回路１０６は、５０８で、スモールセルを完全にウェイクアップすることを決定してよい。工程５００は、その後、通信回路１０７が、スモールセルのアクセスノードにウェイクアップメッセージを送信する５１０に進んでよい。制御回路１０６及び通信回路１０７は、その後、部分的又は完全なハンドオーバー工程を実行してよい。上述のように、ハンドオーバー工程は、ｅＮＢ１０５が、ＵＥ１５０のための少なくとも部分的なサービスをアクセスノードにハンドオーバーすることを含んでよい。いくつかの実施形態では、アクセスノードは、キャリアアグリゲーション（ＣＡ）活性化又はデュアル接続手続きの一部として、ウェイクアップされてよい。
【００６３】
５０８において、スモールセルがＵＥ１５０のために十分なカバレッジを提供することができないと制御回路１０６が判定した場合、制御回路１０６は、完全にスモールセルをウェイクアップしないことを決定してよい。その場合、工程５００は５０６にループバックしてよく、そこでｅＮＢ１０５は、次のフィードバックメッセージの受信を待機する。
【００６４】
本明細書に記載の実施形態は、任意の適切に構成されたハードウェア又はソフトウェアを用いるシステムに実装されてよい。図６は一実施形態について例示的なシステムを示し、該システムは、少なくとも図示のように互いに結合される無線周波数（ＲＦ）回路６０４、ベースバンド回路６０８、アプリケーション回路６１２、メモリ／記憶装置６１６、ディスプレイ６２０、カメラ６２４、センサー６２８及び入出力（Ｉ／Ｏ）インターフェース６３２を備える。
【００６５】
アプリケーション回路６１２は、限定ではないが、１以上のシングルコア又はマルチコアのプロセッサ等の回路を含んでよい。プロセッサは、汎用プロセッサと専用プロセッサ（例えば、グラフィックプロセッサ、アプリケーションプロセッサ）との任意の組合わせを含んでよい。プロセッサは、メモリ／記憶装置６１６と結合されてよく、システム上で動作する様々なアプリケーション又はオペレーティングシステムを有効化するために、メモリ／記憶装置に格納された命令を実行するように構成されてよい。
【００６６】
ベースバンド回路６０８は、限定ではないが、１以上のシングルコア又はマルチコアのプロセッサ等の回路を含んでよい。プロセッサはベースバンドプロセッサを含んでよい。ベースバンド回路は、ＲＦ回路６０４を介して１以上の無線ネットワークとの通信を可能にする様々な無線制御機能を処理することができる。無線制御機能は、限定ではないが、信号変調、符号化、復号、無線周波数シフト等を含んでよい。いくつかの実施形態では、ベースバンド回路６０８は、１以上の無線技術に対応した通信を提供することができる。例えば、いくつかの実施形態では、ベースバンド回路は、ＥＵＴＲＡＮその他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路６０８が複数の無線プロトコルの無線通信をサポートするように構成される実施形態は、マルチモードベースバンド回路と呼ぶことができる。
【００６７】
様々な実施形態において、ベースバンド回路６０８は、厳密にベースバンド周波数であると考慮されていない信号で動作する回路を含んでよい。例えば、いくつかの実施形態では、ベースバンド回路は、ベースバンド周波数と無線周波数の間にある中間周波数を有する信号で動作する回路を含んでよい。
【００６８】
ＲＦ回路６０４は、非ソリッド媒体を介する変調された電磁放射を用いた無線ネットワークとの通信を可能にすることができる。様々な実施形態において、ＲＦ回路６０４は、無線ネットワークとの通信を容易にするスイッチ、フィルタ、増幅器等を含んでよい。
【００６９】
様々な実施形態において、ＲＦ回路６０４は、厳密には無線周波数であると考慮されていない信号で動作する回路を含んでよい。例えば、いくつかの実施形態では、ＲＦ回路６０４は、ベースバンド周波数と無線周波数の間の中間周波数を有する信号で動作する回路を含んでよい。いくつかの実施形態では、ベースバンド回路、アプリケーション回路又はメモリ／記憶装置のコンポーネントの一部又は全部は、システム・オン・チップ（ＳＯＣ）上に一緒に実装されてよい。
【００７０】
システム６００がＵＥ（例えばＵＥ１５０）である実施形態では、通信回路１５５は、一般にＲＦ回路６０４で実施することができるが、追加的又は代替的にベースバンド回路６０８で実施することができる。測定１１２、報告回路１６５及び構成回路１７０は、一般にベースバンド回路６０８で実施することができるが、追加的又は代替的にＲＦ回路６０４又はアプリケーション回路６１２で実施することができる。
【００７１】
システム６００がｅＮＢ（例えばｅＮＢ１０５）である実施形態では、通信回路１５５は、一般にＲＦ回路６０４で実施することができるが、追加的又は代替的にベースバンド回路６０８で実施することができる。制御回路１０６は、一般にベースバンド回路６０８で実施することができるが、追加的又は代替的にＲＦ回路６０４又はアプリケーション回路６１２で実施することができる。
【００７２】
メモリ／記憶装置６１６は、データ又は命令（例えばシステムのため）をロードし格納するために用いられてよい。一実施形態のメモリ／記憶装置６１６は、適切な揮発性メモリ（例えばダイナミック・ランダム・アクセス・メモリ（ＤＲＡＭ））又は不揮発性メモリ（例えばフラッシュメモリ）の任意の組合せを含むことができ、いくつかの実施形態では、メモリ／記憶装置６１６がシステム６００のコンポーネント全体に分散され得ることが理解できるであろう。例えば、いくつかの実施形態では、ＲＦ回路６０４、ベースバンド回路６０８及びアプリケーション回路６１２のそれぞれは、専用のメモリ／記憶装置を有してよい。
【００７３】
様々な実施形態において、Ｉ／Ｏインターフェース６３２は、システム、又は、システムとの周辺機器インタラクションを可能にするように設計された周辺機器インターフェースとのユーザーインタラクションを可能にするように設計された１以上のユーザーインタフェースを含んでよい。ユーザーインタフェースは、限定ではないが、物理的キーボード又はキーパッド、タッチパッド、スピーカー、マイクロフォン等を含んでよい。周辺機器インターフェースは、限定ではないが、不揮発性メモリポート、ユニバーサルシリアルバス（ＵＳＢ）ポート、オーディオジャック、電源インターフェースを含んでよい。
【００７４】
様々な実施形態において、センサー６２８は、システムに関連する環境条件又は位置情報を決定するための１以上の検出装置を含んでよい。いくつかの実施形態では、検出装置は、限定ではないが、ジャイロセンサー、加速度計、近接センサー、照度センサー及び位置決めユニットを含んでよい。また、位置決めユニットは、位置決めネットワーク（例えば全地球測位システム（ＧＰＳ）衛星）のコンポーネントと通信するために、ベースバンド回路又はＲＦ回路の一部であってよく、又はベースバンド回路又はＲＦ回路と相互作用することができる。
【００７５】
様々な実施形態において、上記ディスプレイはディスプレイ（例えば、液晶ディスプレイ、タッチスクリーンディスプレイ）を含んでよい。
【００７６】
様々な実施形態において、システム６００は、限定ではないが、ラップトップ・コンピューティング・デバイス、タブレット・コンピューティング・デバイス、ネットブック、Ｕｌｔｒａｂｏｏｋ、スマートフォンなどのモバイルコンピューティングデバイスであってよく、又はアクセスノード（例えばｅＮＢ）であってよい。様々な実施形態において、システムの有するコンポーネントの数は多くても少なくてもよく、或いは異なるアーキテクチャを有してよい。本明細書における実施例の説明（要約書に記載の内容も含む）は網羅的であることを意図せず、或いは開示された正確な形態に本開示を限定することを意図しない。本明細書には例示を目的として具体的な実装及び例が記載されているが、当業者であれば認識できるように、本開示の範囲内で様々な均等な変更が可能である。そのような変更は、上記詳細な説明に照らして、本開示の実施形態に対してなされてよい。
【００７７】
説明の目的のために本明細書において特定の実施形態を図示及び記載したが、同一の目的を達成するために計算された多種多様な代替若しくは均等な実施形態又は実装を、本開示の範囲から逸脱することなく、図示及び記載された実施形態の代わりに用いることができる。本願は、本明細書で議論した実施形態の任意の適応又は変形を網羅することを意図する。したがって、本明細書に記載の実施形態は特許請求の範囲及びその均等物によってのみ限定されることが明らかに意図される。
【００７８】
様々な実施形態は、実行されると上述の実施形態のいずれかのアクションに至る命令が格納された１以上の製品（例えば非一時的なコンピュータ可読媒体）を含んでよい。更に、いくつかの実施形態は、上述した実施形態の様々な工程を実行するための任意の適切な手段を有する装置又はシステムを含んでよい。
【００７９】
上記の実施例の説明（要約書に記載の内容も含む）は網羅的なものではなく、また、本開示の実施形態を開示された正確な形態に限定するものではない。本明細書には例示を目的として具体的な実装及び例が記載されているが、当業者であれば認識できるように、本開示の範囲内で様々な均等な変更が可能である。
【００８０】
そのような変更は、上記詳細な説明に照らして、本開示の実施形態に対してなされてよい。以下の特許請求の範囲で使用される用語は、明細書及び特許請求の範囲に開示された具体的な実装に本発明の様々な実施形態を限定するように解釈されるべきではない。むしろ、範囲は、クレーム解釈の確立された原則に従って解釈される以下の特許請求の範囲によって全体に決定されるべきである。
【００８１】
例
いくつかの限定ではない例を以下に提供する。
【００８２】
例１は１以上の非一時的コンピューター可読媒体を含む。非一時的コンピューター可読媒体は、実行されたときに
拡張ノードＢ（ｅＮＢ）から受信された、ネットワークのセルの発見信号が送信される発見ゾーンの持続時間に関する情報を含む構成情報を処理する工程であって、発見ゾーンは１以上の時間単位を含む、工程と、
発見ゾーン内の全ての直交周波数分割多重（ＯＦＤＭ）シンボルについて受信電力を測定して、受信信号強度インジケータ（ＲＳＳＩ）を決定する工程と、
をユーザーイクイップメントに実行させる命令を含む。
【００８３】
例２は例１の１以上の非一時的コンピューター可読媒体を含む。構成情報は更に発見信号測定タイミング構成（ＤＭＴＣ）の指示を含む。
【００８４】
例３は例２の１以上の非一時的コンピューター可読媒体を含む。ＤＭＴＣは周期性及びオフセットを含む。
【００８５】
例４は例１〜３のいずれかの１以上の非一時的コンピューター可読媒体を含む。１以上の時間単位は１以上のサブフレームを含む。
【００８６】
例５は例１〜４のいずれかの１以上の非一時的コンピューター可読媒体を含む。全てのＯＦＤＭシンボルは、発見ゾーン内の１以上のサブフレームのダウンリンク部分の全てのＯＦＤＭシンボルを含む。
【００８７】
例６は例１〜４のいずれかの１以上の非一時的コンピューター可読媒体を含む。上記命令は、実行されたときに、ＲＳＳＩに基づいて参照信号受信品質（ＲＳＲＱ）を生成する工程、を更にユーザーイクイップメントに実行させる。
【００８８】
例７は例６の１以上の非一時的コンピューター可読媒体を含む。命令は、実行されたときに、発見ゾーン内のセル固有参照信号を搬送するリソース要素の電力寄与の線形平均に基づいて、参照信号受信電力（ＲＳＲＰ）を決定する工程、を更にユーザーイクイップメントに実行させる。
【００８９】
例８は例７の１以上の非一時的コンピューター可読媒体を含む。命令は、実行されたときに、ＲＳＲＱを（Ｎ×ＲＳＲＰ）／ＲＳＳＩに等しくなるように生成する工程であって、Ｎは発見ゾーンのリソースブロック数である、工程、を更にユーザーイクイップメントに実行させる。
【００９０】
例９は例８の１以上の非一時的コンピューター可読媒体を含む。命令は、実行されたときに、ＲＳＲＱの指示を含むフィードバックメッセージをｅＮＢに送信する工程、を更にユーザーイクイップメントに実行させる。
【００９１】
例１０はユーザーイクイップメントを含む。ユーザーイクイップメントは、拡張ノードＢ（ｅＮＢ）から構成情報を受信するように構成される通信回路であって、構成情報は、構成情報に基づいてアクセスノードからの発見信号が送信される発見ゾーンの持続時間の指示を含む、通信回路と、通信回路と結合され、構成情報に基づいて発見ゾーンを決定するように構成される構成回路と、構成回路と結合され、決定された発見ゾーンに基づいて無線リソース管理（ＲＲＭ）測定を実行するように構成される測定回路と、を備える。
【００９２】
例１１は例１０のユーザーイクイップメントを含む。更に、測定回路と結合され、ＲＲＭ測定に基づいてフィードバックメッセージを生成するように構成される報告回路、を備える。
【００９３】
例１２は例１１のユーザーイクイップメントを含む。測定回路は更に、ＲＲＭ測定に基づいて、受信信号強度インジケータ（ＲＳＳＩ）を決定するように構成され、報告回路は、ＲＳＳＩに基づいてフィードバックメッセージを生成するように構成される。
【００９４】
例１３は例１２のユーザーイクイップメントを含む。測定回路は、発見ゾーン内の全ての直交周波数分割多重（ＯＦＤＭ）シンボルについて受信信号強度を測定して、ＲＳＳＩを決定するように構成される。
【００９５】
例１４は例１２のユーザーイクイップメントを含む。測定回路は、発見信号を用いて伝送することができる発見ゾーン内の全ての潜在的なリソース要素を測定して、ＲＳＳＩを決定するように構成される。
【００９６】
例１５は例１０〜１４のいずれかのユーザーイクイップメントを含む。発見ゾーンは１以上のサブフレームを含む。
【００９７】
例１６は例１０〜１４のいずれかのユーザーイクイップメントを含む。通信回路は、無線リソース制御（ＲＲＣ）構成メッセージで構成情報を受信するように構成される。
【００９８】
例１７は例１０〜１４のいずれかのユーザーイクイップメントを含む。構成情報は更に、周期性及びオフセットを含む発見信号測定タイミング構成（ＤＭＴＣ）の指示を含む。構成回路は、周期性、オフセット、持続時間及び受信される１次又は２次同期信号に更に基づいて、発見ゾーンを決定するように構成される。
【００９９】
例１８は１以上の非一時的コンピューター可読媒体を含む。１以上の非一時的コンピューター可読媒体は、実行されたときに、
発見ゾーンの持続時間の指示を含む構成情報を生成する工程と、
構成情報をユーザーイクイップメントに送信する工程と、
ユーザーイクイップメントから、アクセスノードの発見信号に対応する参照信号受信品質（ＲＳＲＱ）の指示を含むフィードバックメッセージを受信する工程と、
ＲＳＲＱに基づいて、ユーザーイクイップメントにサービスセルを提供するために、アクセスノードをウェイクアップするか否かを決定する工程と、
を拡張ノードＢ（ｅＮＢ）に実行させる命令を含む。
【０１００】
例１９は例１８の１以上の非一時的コンピューター可読媒体を含む。構成情報は更に、周期性及びオフセットを含む発見信号測定タイミング構成（ＤＭＴＣ）の指示を含む。
【０１０１】
例２０は例１８又は例１９の１以上の非一時的コンピューター可読媒体を含む。命令は、実行されたときに、アクセスノードをウェイクアップすることを決定し、アクセスノードにウェイクアップメッセージを送信し、ハンドオーバー工程を実行して、ユーザーイクイップメントに対する少なくとも部分的なサービスをアクセスノードにハンドオーバーする工程、を更にｅＮＢに実行させる。
【０１０２】
例２１はユーザーイクイップメントを含む。ユーザーイクイップメントは、拡張ノードＢ（ｅＮＢ）からの構成情報を処理する手段であって、構成情報は、構成情報に基づいてアクセスノードからの発見信号が送信される発見ゾーンの持続時間の指示を含む、手段と、構成情報に基づいて発見ゾーンを決定する手段と、決定された発見ゾーンに基づいて無線リソース管理（ＲＲＭ）測定を実行する手段と、を備える。
【０１０３】
例２２は例２１のユーザーイクイップメントを含む。更に、ＲＲＭ測定に基づいてフィードバックメッセージを生成する手段を備える。
【０１０４】
例２３は例２２のユーザーイクイップメントを含む。更に、ＲＲＭ測定に基づいて受信信号強度インジケータ（ＲＳＳＩ）を決定する手段を備え、フィードバックメッセージを生成する手段は、ＲＳＳＩに基づいてフィードバックメッセージを生成するように構成される。
【０１０５】
例２４は例２３のユーザーイクイップメントを含む。ＲＳＳＩを決定する手段は、発見ゾーン内の全ての直交周波数分割多重（ＯＦＤＭ）シンボルについて受信信号強度を測定して、ＲＳＳＩを決定するように構成される。
【０１０６】
例２５は例２３のユーザーイクイップメントを含む。ＲＳＳＩを決定する手段は、発見信号を用いて伝送することができる発見ゾーン内の全ての潜在的なリソース要素を測定して、ＲＳＳＩを決定するように構成される。
【０１０７】
例２６は例２１〜２５のいずれかのユーザーイクイップメントを含む。発見ゾーンは１以上のサブフレームを含む。
【０１０８】
例２７は例２１〜２６のいずれかのユーザーイクイップメントを含む。構成情報は更に、周期性及びオフセットを含む発見信号測定タイミング構成（ＤＭＴＣ）の指示を含む。発見ゾーンを決定する手段は、周期性、オフセット、持続時間及び受信される１次又は２次同期信号に更に基づいて、発見ゾーンを決定するように構成される。
【０１０９】
例２８は、拡張ノードＢ（ｅＮＢ）を動作させる方法を含む。当該方法は、発見ゾーンの持続時間の指示を含む構成情報を生成するステップと、構成情報をユーザーイクイップメントに送信するステップと、アクセスノードの発見信号に対応する参照信号受信品質（ＲＳＲＱ）の指示を含むユーザーイクイップメントからのフィードバックメッセージを受信するステップと、ＲＳＲＱに基づいて、ユーザーイクイップメントにサービスセルを提供するために、アクセスノードをウェイクアップするか否かを決定するステップと、を含む。
【０１１０】
例２９は例２８の方法を含む。構成情報は更に、周期性及びオフセットを含む発見信号測定タイミング構成（ＤＭＴＣ）の指示を含む。
【０１１１】
例３０は例２８又は例２９の方法を含む。命令は、実行されたときに、アクセスノードをウェイクアップすることを決定し、アクセスノードにウェイクアップメッセージを送信し、ハンドオーバー工程を実行して、ユーザーイクイップメントに対する少なくとも部分的なサービスをアクセスノードにハンドオーバーする工程、を更にｅＮＢに実行させる。
【０１１２】
例３１は、例２８〜３０のいずれかの方法を実行するように構成される装置を含む。
【０１１３】
例３２はユーザーイクイップメントを含む。該ユーザーイクイップメントは、拡張ノードＢ（ｅＮＢ）から受信された、ネットワークのセルの発見信号が送信される発見ゾーンの持続時間に関する情報を含む構成情報を処理する手段であって、発見ゾーンは１以上の時間単位を含む、手段と、発見ゾーン内の全ての直交周波数分割多重（ＯＦＤＭ）シンボルについて受信電力を測定して、受信信号強度インジケータ（ＲＳＳＩ）を決定する手段と、を備える。
【０１１４】
例３３は例３２のＵＥを含む。構成情報は更に発見信号測定タイミング構成（ＤＭＴＣ）の指示を含む。
【０１１５】
例３４は例３３のＵＥを含む。ＤＭＴＣは周期性及びオフセットを含む。
【０１１６】
例３５は例３２〜３４のいずれかのＵＥを含む。１以上の時間単位は１以上のサブフレームを含む。
【０１１７】
例３６は例３２〜３５のいずれかのＵＥを含む。全てのＯＦＤＭシンボルは、発見ゾーン内の１以上のサブフレームのダウンリンク部分の全てのＯＦＤＭシンボルを含む。
【０１１８】
例３７は例３２〜３５のいずれかのＵＥを含む。更に、ＲＳＳＩに基づいて参照信号受信品質（ＲＳＲＱ）を生成する手段、を備える。
【０１１９】
例３８は例３７のＵＥを含む。更に、発見ゾーン内のセル固有参照信号を搬送するリソース要素の電力寄与の線形平均に基づいて、参照信号受信電力（ＲＳＲＰ）を決定する手段、を備える。
【０１２０】
例３９は例３８のＵＥを含む。ＲＳＲＱを生成する手段は、ＲＳＲＱを（Ｎ×ＲＳＲＰ）／ＲＳＳＩに等しくなるように設定するように構成され、Ｎは発見ゾーンのリソースブロック数である。
【０１２１】
例４０は例３９のＵＥを含む。更に、ＲＳＲＱの指示を含むフィードバックメッセージをｅＮＢに送信する手段、を備える。
【図１】
0006363230.tif 000003
【図２】
0006363230.tif 000004
【図３】
0006363230.tif 000005
【図４】
0006363230.tif 000006
【図５】
0006363230.tif 000007
【図６】
0006363230.tif 000008